(57)【特許請求の範囲】
【請求項１】
分電盤に電力線を介して接続され、当該電力線からの電力供給により発光する照明器具と、
前記分電盤に電力線を介して接続された、前記照明器具を含む複数の機器の電力使用量を取得し、取得した電力使用量に応じてデマンド信号を出力するデマンドコントローラと、
前記照明器具に接続された前記電力線上に設けられるスイッチ、及び、出力されたデマンド信号に基づいて前記スイッチを制御することにより、前記電力供給を所定期間停止する制御を行うスイッチ制御部を有する制御装置とを備え、
前記照明器具は、
前記電力供給により発光するＬＥＤ（Ｌｉｇｈｔ  Ｅｍｉｔｔｉｎｇ  Ｄｉｏｄｅ）発光部と、
前記電力供給の停止を検出する検出部と、
前記電力供給が前記所定期間停止されたことを前記検出部が検出した場合、当該検出の直前の第１調光状態よりも暗い第２調光状態で前記ＬＥＤ発光部を発光させる制御部とを有し、
前記制御部は、前記第２調光状態で前記ＬＥＤ発光部を発光させているときに、
前記電力供給が前記所定期間よりも長い期間停止されたことを前記検出部が検出し、かつ、次に電力供給が開始された場合、前記第１調光状態で前記ＬＥＤ発光部を発光させ、
前記電力供給が前記所定期間停止されたことを前記検出部が検出し、かつ、次に電力供給が開始された場合、前記第２調光状態を維持して前記ＬＥＤ発光部を発光させ、
前記第一調光状態、及び、前記第二調光状態は、前記制御部に含まれる共通の制御回路から前記ＬＥＤ発光部へ供給される電力が調整されることによって実現される
照明システム。
【請求項２】
前記照明器具は、さらに、ユーザの、前記第１調光状態及び前記第２調光状態の設定を受け付ける設定受付部を有する
請求項１に記載の照明システム。
【請求項３】
前記デマンドコントローラは、取得した電力使用量が所定の目標使用量を超えると予測される場合に前記デマンド信号を出力する
請求項１または２に記載の照明システム。
【請求項４】
前記照明システムは、複数の前記照明器具を備え、
前記デマンドコントローラは、複数の前記照明器具を含む複数の機器の電力使用量を取得し、
前記制御装置は、複数の前記照明器具にそれぞれ対応する複数の前記スイッチを備え、
前記スイッチ制御部は、出力されたデマンド信号に基づいて複数の前記スイッチを制御することにより、複数の前記照明器具への前記電力供給を所定期間停止する制御を行う
請求項１〜３のいずれか１項に記載の照明システム。
【請求項５】
前記所定期間は、１秒以上２秒以下の期間である
請求項１〜４のいずれか１項に記載の照明システム。
【請求項６】
請求項１〜５のいずれか１項に記載の照明システムが備える照明器具。
【請求項７】
請求項１〜５のいずれか１項に記載の照明システムが備える制御装置。
【発明の詳細な説明】
【技術分野】
【０００１】
本発明は、デマンド制御に対応した照明システム及び制御装置に関する。
【背景技術】
【０００２】
近年、電力系統の安定化及び電力市場の自由化の動きに伴い、エネルギーマネジメントシステムが注目されている。例えば、需要家における電力使用量（デマンド）を予測し、電力使用量が契約電力を超えないように当該需要家に属する電気機器（例えば、空調機器及び照明機器など）を制御するデマンド制御システムが知られている（例えば、特許文献１参照）。
【先行技術文献】
【特許文献】
【０００３】
【特許文献１】特開２００９−２４００３２号公報
【発明の概要】
【発明が解決しようとする課題】
【０００４】
例えば、オフィスビルなどの比較的大規模な需要家において、照明器具をデマンド制御の対象とするデマンド制御システムを新規導入する場合、大規模な工事が必要となることが多い。
【０００５】
そこで、本発明は、デマンド制御に対応し、かつ、導入が容易な照明システム、及びこれに用いられる制御装置を提供する。
【課題を解決するための手段】
【０００６】
本発明の一態様に係る照明システムは、分電盤に電力線を介して接続され、当該電力線からの電力供給により発光する照明器具と、前記分電盤に電力線を介して接続された、前記照明器具を含む複数の機器の電力使用量を取得し、取得した電力使用量に応じてデマンド信号を出力するデマンドコントローラと、前記照明器具に接続された前記電力線上に設けられるスイッチ、及び、出力されたデマンド信号に基づいて前記スイッチを制御することにより、前記電力供給を所定期間停止する制御を行うスイッチ制御部を有する制御装置とを備え、前記照明器具は、前記電力供給により発光する発光部と、前記電力供給の停止を検出する検出部と、前記電力供給が前記所定期間停止されたことを前記検出部が検出した場合、当該検出の直前の第１調光状態よりも暗い第２調光状態で前記発光部を発光させる制御部とを有する。
【０００７】
本発明の一態様に係る制御装置は、分電盤と照明器具とを接続する電力線上に設けられるスイッチと、前記分電盤に電力線を介して接続された、前記照明器具を含む複数の機器の電力使用量に応じて出力されるデマンド信号に基づいて前記スイッチを制御することにより、前記照明器具への電力供給を所定期間停止する制御を行うスイッチ制御部とを備える。
【発明の効果】
【０００８】
本発明によれば、デマンド制御に対応し、かつ、導入が容易な照明システムが実現される。
【図面の簡単な説明】
【０００９】
【図１】図１は、実施の形態１に係る照明システムの構成を示すブロック図である。
【図２】図２は、実施の形態１に係る照明器具の外観図である。
【図３】図３は、実施の形態１に係る照明器具の機能構成を示すブロック図である。
【図４】図４は、検出回路の回路図である。
【図５】図５は、検出回路における電圧波形を模式的に示す図である。
【図６】図６は、実施の形態１に係る照明システムの動作シーケンス図である。
【発明を実施するための形態】
【００１０】
以下、実施の形態に係る照明システムについて、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［照明システムの全体構成］
まず、実施の形態１に係る照明システムの全体構成について説明する。図１は、実施の形態１に係る照明システムの構成を示すブロック図である。
【００１３】
図１に示されるように、照明システム１００は、複数の照明器具（例えば、照明器具１０及び１０ａ）と、デマンドコントローラ３０と、分電盤４０と、制御盤５０とを備える。また、図１では、照明器具１０と分電盤４０とを接続する電力線７０、及び、電力線７０上に設けられた壁スイッチ２０も図示されている。同様に、照明器具１０ａと分電盤４０とを接続する電力線７０ａ、及び、電力線７０ａ上に設けられた壁スイッチ２０ａも図示されている。なお、照明システム１００に含まれる照明器具の台数は特に限定されるものではない。
【００１４】
照明システム１００では、分電盤４０に接続された機器の電力使用量の合計が増えたときに、照明器具が暗く調光される点が特徴である。以下、このような照明システム１００の各構成要素について詳細に説明する。
【００１５】
照明器具１０は、分電盤４０に電力線７０を介して接続され、当該電力線７０から供給される電力を用いて発光する。照明器具１０の構成の詳細については後述する。なお、照明器具１０ａは、照明器具１０と同様の構成であり、以下では詳細な説明が省略される。
【００１６】
壁スイッチ２０は、建物の壁面に取り付けられ、ユーザが照明器具１０の点灯または消灯を切り替えるためのスイッチである。壁スイッチ２０は、汎用のどのようなスイッチが用いられてもよい。壁スイッチ２０ａも同様である。
【００１７】
分電盤４０は、当該分電盤４０に電力線を介して接続される複数の機器（複数の回路）のそれぞれに、電力系統６０（商用系統）から供給される電力を供給する。ここで、分電盤４０に接続される複数の機器には、照明器具１０及び照明器具１０ａが含まれるが、これ以外にも、空調機器（エアコン）などが含まれる。また、分電盤４０は、照明器具のみが接続される電灯盤であってもよい。
【００１８】
また、分電盤４０は、箱状の筐体（図示せず）を有し、当該筐体の内部に、主幹ブレーカ４２と、分電盤４０に接続される各電力線（回路）ごとに設けられた分岐ブレーカ（図１では、分岐ブレーカ４３及び４３ａ）とを有する。
【００１９】
主幹ブレーカ４２は、電力系統６０から供給される電力が所定の電力（電力会社との契約で定められる電力）を超える電流が流れた時に、電力系統６０からの電力の供給を停止するブレーカである。
【００２０】
分岐ブレーカ４３及び４３ａは、当該分岐ブレーカに接続された電力線に過電流が流れた場合に、当該電力線への電力（電力）の供給を停止するブレーカである。
【００２１】
また、実施の形態１では、分電盤４０は、電力計測装置４１を有する。電力計測装置４１は、分電盤４０に電力線を介して接続された複数の機器の電力使用量の合計を測定する電力計である。電力計測装置４１は、測定した電力使用量を計測信号としてデマンドコントローラ３０に出力する。
【００２２】
デマンドコントローラ３０は、分電盤４０に電力線を介して接続される複数の機器の運転状況や電力使用量を管理する装置である。
【００２３】
実施の形態１では、デマンドコントローラ３０は、分電盤４０に電力線を介して接続された複数の機器の電力使用量を取得し、取得した電力使用量に応じてデマンド信号を出力する。デマンドコントローラ３０は、具体的には、分電盤４０が有する電力計測装置４１が測定した、上記複数の機器の電力使用量の合計を取得し、取得した電力使用量の合計が所定の目標使用量を超えると予測される場合にデマンド信号を出力する。なお、実施の形態１では、電力計測装置４１とデマンドコントローラ３０とは、通信線によって有線接続されるが、例えば、電力計測装置４１とデマンドコントローラ３０とは、無線通信を行ってもよく、通信方法は特に限定されない。
【００２４】
デマンドコントローラ３０は、例えば、電力使用量が所定の閾値（例えば、目標使用量の８０％）を超え、かつ、その後電力使用量が所定期間、上記所定の閾値を下回らなかった場合に、電力使用量が所定の目標使用量を超えると予測する。つまり、このような場合に、デマンドコントローラ３０は、デマンド信号を出力する。なお、デマンド信号は、例えば、目標使用量を超えると予測されたときにハイレベルとなり、それ以外のときにローレベルとなる２値の電気信号であるが、その他、どのような態様であってもよい。
【００２５】
なお、上記のような所定の閾値は、複数設けられてもよい。デマンドコントローラ３０は、電力使用量が第１の閾値（例えば、目標使用量の８０％）を超えた場合、第１デマンド信号を出力し、電力使用量が第２の閾値（例えば、目標使用量の９０％）を超えた場合、第２デマンド信号を出力してもよい。
【００２６】
なお、デマンドコントローラ３０は、分電盤４０とは別に設けられ、かつ、分電盤に接続された複数の機器の電力使用量を測定するスマートメータ、または、外部サーバ（例えば、電力供給事業者のサーバ）から電力使用量の合計を取得してもよい。この場合、デマンドコントローラ３０は、上記のスマートメータ等と有線または無線のどのような通信ネットワークを用いて通信を行ってもよい。また、通信の方式（通信規格）についても特に限定されない。
【００２７】
なお、目標使用量、及び、所定の閾値は、デマンドコントローラ３０のユーザインターフェース（図１で図示せず）を通じてユーザによって任意に変更可能である。
【００２８】
制御盤５０は、制御装置の一例であって、複数のスイッチ（図１ではスイッチ５３及び５３ａ）から構成されるスイッチ部５２と、スイッチ制御部５１とを備える。なお、スイッチ５３とスイッチ５３ａとは実質的に同一の機能を有するスイッチであるため、以下ではスイッチ５３についてのみ説明し、スイッチ５３ａについての説明は省略される。
【００２９】
スイッチ部５２は、複数のスイッチを含むスイッチ装置であり、各スイッチのオン及びオフは、スイッチ制御部５１によって制御される。スイッチ部５２には、スイッチ５３及びスイッチ５３ａが含まれる。
【００３０】
スイッチ５３は、照明器具１０に接続される電力線７０上に設けられるスイッチである。スイッチ５３は、例えば、リレー素子またはパワートランジスタなどにより実現される。
【００３１】
スイッチ制御部５１は、デマンドコントローラ３０から出力されたデマンド信号に基づいてスイッチ部５２に含まれる複数のスイッチ（例えば、スイッチ５３及びスイッチ５３ａ）を制御することにより、複数の照明器具への電力供給を停止する制御を行う。つまり、スイッチ制御部５１は、デマンド信号に基づいてスイッチ５３及び５３ａを所定期間オフした後にオンする制御（以下、単に、瞬時オフ制御とも記載する）を行う。
【００３２】
スイッチ制御部５１は、具体的には、電気信号（制御信号）により、スイッチ部５２に含まれる複数のスイッチをオン及びオフする。スイッチ制御部５１は、例えば、専用回路によって実現されるが、プロセッサまたはマイクロコンピュータによって実現されてもよい。
【００３３】
なお、実施の形態１では、スイッチ制御部５１（制御盤５０）と、デマンドコントローラ３０とは、通信線によって有線接続され、当該通信線を通じてデマンド信号の送受信が行われる。しかしながら、例えば、スイッチ制御部５１とデマンドコントローラ３０とは、無線通信を行ってもよいし、通信方法（通信規格）等も特に限定されない。
【００３４】
［照明器具の構成］
次に、照明器具１０の詳細な構成について説明する。図２は、照明器具１０の外観図であり、図３は、照明器具１０の機能構成を示すブロック図である。
【００３５】
図２及び図３に示されるように、照明器具１０は、器具本体１６と、発光部１２と、電力変換部１４と、検出部１７と、制御部１１と、設定受付部１３と、記憶部１５とを備える。
【００３６】
器具本体１６は、照明器具１０のベースとなる部材であり、例えばボルト及びナット等により天井に固定される。
【００３７】
発光部１２は、電力線７０からの供給電力（より具体的には、制御部１１から供給される電力）により発光する。発光部１２は、より詳細には、発光モジュールと、発光モジュールを覆うカバー部材とからなる。
【００３８】
発光モジュールは、基板上に発光素子としてＬＥＤ素子が実装されたモジュールである。発光モジュールは、基板上にＬＥＤチップが直接実装されたＣＯＢ（Ｃｈｉｐ  Ｏｎ  Ｂｏａｒｄ）型の発光モジュールであってもよいし、基板上に表面実装型（ＳＭＤ：Ｓｕｒｆａｃｅ  Ｍｏｕｎｔ  Ｄｅｖｉｃｅ）のＬＥＤ素子が実装されたＳＭＤ型の発光モジュールであってもよい。なお、表面実装型のＬＥＤ素子とは、樹脂成型されたキャビティの中にＬＥＤチップを実装して当該キャビティ内に蛍光体含有樹脂を封入したパッケージ型のＬＥＤ素子である。
【００３９】
カバー部材は、発光モジュールから発せられた光を透過させる部材である。カバー部材は、例えば、透明なガラスまたは樹脂で形成されるが、シリカまたは炭酸カルシウムなどの光拡散材（微粒子）を含有する白色の樹脂で形成されてもよい。
【００４０】
電力変換部１４は、電力系統６０から電力線７０を介して供給される交流電力を直流電力に変換して制御部１１に出力する。電力変換部１４は、具体的には、例えば、ブリッジ型全波整流回路であるが、ＡＣ−ＤＣコンバータＩＣなど、どのような態様であってもよい。
【００４１】
検出部１７は、電力線７０からの電力供給の停止を検出する。検出部１７は、具体的には、電力供給が所定期間停止されたこと（瞬時オフ）を検出する。ここで、所定期間の長さ（所定期間の長さ）は、例えば、１ｓ以上２ｓ以内などであるが、特に限定されるものではない。
【００４２】
検出部１７は、例えば、スイッチ５３の瞬時オフを検出する検出回路を含む回路である。検出回路の詳細については後述する。なお、検出部１７は、マイクロコンピュータまたはプロセッサによって実現されてもよい。
【００４３】
制御部１１は、電力変換部１４から出力された直流電力を用いて発光部１２の発光制御を行う。実施の形態１では、制御部１１は、スイッチ５３の瞬時オフ（電力供給が所定期間一時停止されたこと）を検出部１７が検出した場合、検出直後において、当該検出の直前の第１調光状態よりも暗い第２調光状態で発光部１２を発光させる。
【００４４】
また、制御部１１は、第２調光状態で発光部１２を発光させているときに、電力線７０から照明器具１０への電力供給が上記所定期間よりも長い期間停止されたことを検出部１７が検出した場合であって、かつ、次に電力供給が開始された場合には、第１調光状態で発光部１２を発光させる。つまり、照明器具１０を第２調光状態から第１調光状態に復帰させる。ここで、所定期間よりも長い期間（第２の所定期間）は、実施の形態１では、２ｓ以上の期間であるが、特に限定されるものではない。
【００４５】
このような構成により、ユーザは、壁スイッチ２０をオフにし、上記瞬時オフの期間よりも長い期間の経過後、再びオンすれば、発光部１２を第１調光状態に復帰させることができる。なお、第２調光状態から第１調光状態への復帰は、デマンド信号に基づいてスイッチ制御部５１が行ってもよいし、ユーザのリモコン操作（設定受付部１３への指示の入力）によって行われてもよい。
【００４６】
制御部１１は、例えば、発光部１２に供給する電力を調整するチョッパ制御回路を含む回路である。チョッパ制御回路とは、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。なお、制御部１１は、マイクロコンピュータまたはプロセッサによって実現されてもよい。
【００４７】
設定受付部１３は、ユーザの、第１調光状態及び第２調光状態の設定を受け付ける。設定受付部１３は、具体的には、リモコンの受光部であり、ユーザは、リモコンを通じて第１調光状態及び第２調光状態の設定を行う。なお、「調光状態」には、全灯の状態（調光比１００％）も含まれる。実施の形態１では、第１調光状態は、例えば、全灯の状態であり、第２調光状態は、例えば、調光比が８０％の状態である。
【００４８】
記憶部１５は、設定受付部１３が受け付けた調光状態の設定が記憶される記憶装置（メモリ）である。記憶された調光状態の設定は、制御部１１によって参照される。記憶部１５は、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリである。なお、記憶部１５は、制御部１１に含まれてもよい。
【００４９】
［瞬時オフの検出回路］
次に、検出部１７に含まれる、スイッチ５３の瞬時オフの検出回路の一例について説明する。図４は、検出回路の回路図である。図５は、検出回路における電圧波形を示す図である。なお、図４では、瞬時オフの検出に関連する構成のみが図示されている。また、図５は、模式図であり、電圧波形のレベル及び周波数を正確に表した図ではない。
【００５０】
検出回路８０は、電力系統６０からのスイッチ５３の瞬時オフ動作を検出するための回路である。検出回路８０は、４つのダイオードＤ１〜Ｄ４を含むブリッジ型の全波整流回路８１を有する。全波整流回路８１は、図５の（ａ）に示される電力系統からの交流電圧（ＡＣ）をダイオードＤ１〜Ｄ４により整流する。なお、上述の電力変換部１４に全波整流回路が含まれる場合は、全波整流回路８１に代えて電力変換部１４に含まれる全波整流回路が利用されてもよい。
【００５１】
整流後の電圧は、平滑コンデンサＣ１により平滑化され、かつ、抵抗Ｒ１及び抵抗Ｒ２で分圧されてトランジスタＴｒ１のベースに入力される。ここで、トランジスタＴｒ１のベース電圧（電圧Ｖ１）は、図５の（ｂ）に示されるような波形となる。ここで、電圧Ｖ１のピーク値は、例えば、５Ｖ程度である。
【００５２】
スイッチ５３がオン状態である期間Ｔ１においては、電圧Ｖ１は、トランジスタＴｒ１の閾値電圧よりも大きくなるため、トランジスタＴｒ１はオン状態となる。よって、図５の（ｃ）に示されるように、期間Ｔ１においては、トランジスタＴｒ１のコレクタ電圧（電圧Ｖ２）は、ローレベル（０Ｖ）となる。
【００５３】
一方、スイッチ５３がオフ状態である期間Ｔ２においては、電圧Ｖ１は、抵抗Ｒ２によってプルダウンされて０Ｖとなり、トランジスタＴｒ１の閾値電圧よりも小さくなるため、トランジスタＴｒ１はオフ状態となる。よって、期間Ｔ２においては、図５の（ｃ）に示されるように、電圧Ｖ２は、ハイレベル（Ｖｃｃ）となる。
【００５４】
以上のように、検出回路８０から出力される電圧Ｖ２は、図５の（ｄ）に示されるスイッチ５３のオン及びオフに対応する。したがって、検出部１７は、このような検出回路８０の出力をモニタ（サンプリング）することにより、スイッチ５３の瞬時オフを検出できる。
【００５５】
［照明システムの動作］
次に、照明システム１００の動作について、図６を用いて説明する。図６は、照明システム１００の動作シーケンス図である。
【００５６】
まず、照明器具１０の制御部１１は、第１調光状態、すなわち、全灯状態で発光部１２を発光させる（Ｓ１１）。
【００５７】
一方、デマンドコントローラ３０は、電力計測装置４１から電力使用量を取得し（Ｓ１２）、電力使用量の予測値が目標使用量を超えるかどうかの判定を行う（Ｓ１３）。上述のように、実施の形態１では、デマンドコントローラ３０は、電力使用量が目標使用量を超えると予測された場合（Ｓ１３でＹｅｓ）、電力使用量が目標使用量を超えると予測されることを示すデマンド信号を制御盤５０に出力する（Ｓ１４）。
【００５８】
制御盤５０のスイッチ制御部５１は、デマンドコントローラ３０からデマンド信号を受信すると（Ｓ１５）、スイッチ部５２に含まれる複数のスイッチの瞬時オフ制御を行う（Ｓ１６）。例えば、スイッチ制御部５１は、スイッチ５３に対して瞬時オフ制御を行い、電力線７０から照明器具１０への電力供給を所定期間停止する。
【００５９】
照明器具１０の検出部１７は、電力供給が所定期間停止されたことを検出し（Ｓ１７）、制御部１１は、当該検出の直前の第１調光状態よりも暗い第２調光状態で発光部１２を発光させる（Ｓ１８）。
【００６０】
［効果等］
以上説明したように、照明システム１００においては、スイッチ制御部５１は、デマンドコントローラ３０から出力されるデマンド信号に応じて分電盤４０に接続された複数の照明器具への電力供給を所定期間停止する。ここで、デマンド信号は、例えば、分電盤４０に接続された機器の電力使用量の合計が所定の目標使用量を超えると予測される場合に出力される。
【００６１】
照明器具１０の制御部１１は、電力供給が所定期間停止されたと検出部１７が検出した場合、当該検出の直前の第１調光状態よりも暗い第２調光状態で発光部１２を発光させる。
【００６２】
つまり、照明システム１００においては、電力の使用量が増加したときに、自動的に照明器具１０の消費電力が抑制される。これにより、電力需要のピーク時における電力系統６０の安定化を図ることができる、また、照明システム１００が導入された需要家においては、電力コストの削減が実現される。
【００６３】
例えば、日本においては、電力事業者と需要家との契約に、所定の契約電力を超える電力を使用すると、電力コストの単価が増えるなどのペナルティが課される条項が含まれる場合がある。このような場合、上記目標使用量が契約電力に設定されれば、電力使用量が契約電力を超えにくくなり、需要家における電力コストを抑制することができる。オフィスビルなどでは、空調よりも照明に多くの電力が使用されている場合があり、このような場合に照明システム１００は効果的に電力コストを抑制することができる。
【００６４】
また、照明システム１００は、既存の電力線を利用して複数の照明器具を容易に一括制御できる点が特徴である。照明システム１００は、既にデマンドコントローラ３０が導入されている需要家であれば、制御盤５０を取り付け、既存の照明器具を照明器具１０に交換するだけで容易に導入可能である。つまり、照明システム１００の導入においては、新たに制御用の配線を設けるなどの大規模な工事は不要である。
【００６５】
また、制御盤が複数の照明器具を無線通信により制御する構成も考えられるが、このような構成では、制御盤及び照明器具に、比較的高価な無線通信用の通信モジュール等を設ける必要がある。よって、制御盤及び照明器具のコストが増大するデメリットがある。また、無線通信を用いた制御では、混信によって不具合が発生する場合や、電波の届きにくい場所に配置された照明器具をうまく制御できないような場合も考えられる。
【００６６】
これに対し、照明システム１００においては、上記のような通信モジュールは不要であり、スイッチなどの比較的安価な素子から構成される制御盤５０が用いられるため、導入コストが抑制される。なお、既に需要家に導入された照明器具が調光機能に対応している場合は、照明器具の交換を行わずに、電源ブロックの交換やファームウェア（ソフトウェア）の書き換えにより照明器具１０と同等の照明器具にバージョンアップできる場合もある。
【００６７】
また、照明システム１００は、電力線からの電力供給の有無を検出する構成であるため、上記のような無線通信よりも制御の確実性が高いこともメリットである。
【００６８】
（その他の実施の形態）
以上、実施の形態に係る照明システム１００について説明したが、本発明は、上記実施の形態に限定されるものではない。
【００６９】
上記実施の形態では、１つのスイッチ（例えば、スイッチ５３）に対して、１つの照明器具（例えば、照明器具１０）が接続されたが、１つのスイッチに対して複数の照明器具が接続されてもよい。これにより、１つのスイッチの瞬時オフによって複数の照明器具の制御を行うことができる。
【００７０】
また、上記実施の形態では、スイッチ制御部５１は、デマンド信号を受信した場合、典型的には、スイッチ部５２に含まれる全てのスイッチを瞬時オフする。しかしながら、スイッチ制御部５１は、デマンド信号を受信した場合、スイッチ部５２に含まれるスイッチの一部を瞬時オフしてもよい。
【００７１】
例えば、上記実施の形態で説明したように、デマンドコントローラ３０が電力使用量に応じて段階的にデマンド信号を出力する（デマンドコントローラ３０が最初に第１デマンド信号を出力し、次に第２デマンド信号を出力する）ことが想定される。このような場合、スイッチ制御部５１は、例えば、第１デマンド信号を受信した場合には、スイッチ部５２に含まれるスイッチの半数を瞬時オフし、さらに第２デマンド信号を受信した場合にはスイッチ部５２に含まれるスイッチの残りの半数を瞬時オフしてもよい。
【００７２】
このように、スイッチ制御部５１が、スイッチ部５２に含まれるスイッチを段階的に瞬時オフする場合、スイッチ部５２に含まれる複数のスイッチのそれぞれに優先度が定められていてもよい。つまり、スイッチ制御部５１は、第１デマンド信号を受信した場合には、優先度の低いスイッチを瞬時オフし、第２デマンド信号を受信した場合には、優先度の高いスイッチを瞬時オフする。これにより、ユーザが暗くなることを望まない部屋に設けられた照明器具は暗くなりにくい、といった、ユーザの要望に応じた制御が可能となる。なお、このような優先度は、例えば、制御盤５０内の記憶部（図１において図示せず）に記憶される。
【００７３】
また、上記実施の形態では、瞬時オフ制御が行われる前には、複数の照明器具は全灯状態であると説明されたが、複数の照明器具の中に、瞬時オフ制御が行われる前に既に暗く調光された照明器具が含まれる場合がある。既に暗く調光された照明器具が第２調光状態に調光されると、瞬時オフ制御前よりも明るくなってしまうようなときには、当該照明器具が第２調光状態に調光される必要はない。つまり、瞬時オフ制御前の調光状態が維持されてもよい。例えば、照明器具１０の制御部１１は、第２調光状態で発光部１２を発光させているときに、電力供給が所定期間停止されたことを検出部１７が検出した場合、第２調光状態を維持して発光部１２を発光させてもよい。
【００７４】
また、上記実施の形態では、発光部１２には、発光素子としてＬＥＤまたはＬＥＤ素子が用いられた。しかしながら、発光部１２には、発光素子として、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子、さらには蛍光ランプが用いられてもよい。
【００７５】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７６】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００７７】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記照明システム１００に用いられる照明器具１０として実現されてもよいし、制御盤５０（制御装置）として実現されてもよい。
【００７８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００７９】
１０、１０ａ  照明器具
１１  制御部
１２  発光部
１３  設定受付部
１７  検出部
３０  デマンドコントローラ
４０  分電盤
４１  電力計測装置
５０  制御盤（制御装置）
５１  スイッチ制御部
５３、５３ａ  スイッチ
７０、７０ａ  電力線
１００  照明システム
【図１】
0006524656.tif 000002
【図２】
0006524656.tif 000003
【図３】
0006524656.tif 000004
【図４】
0006524656.tif 000005
【図５】
0006524656.tif 000006
【図６】
0006524656.tif 000007